(57)【要約】      （修正有）【課題】より広い宣伝広告表示面部が得られ、また、見易く且つ見栄え良くカードレールに支持させることができる商品陳列棚用宣伝広告媒体を提供する。【解決手段】宣伝広告表示面部２を有する表示パネル３の上下に、相互に平行な折れ線を介して表示パネル３の裏面側に折曲される２つの支持パネル６，７を設け、上側の支持パネル６には上端辺の一部を延長して係止用突起８を突設し、下側の支持パネル７には前記係止用突起８を挿入して係止する係止窓９を設けるとともに下端辺には折れ線４，５を介して下向きに折曲されるレール差込みパネル１１を設け、前記２つの支持パネル６，７を表示パネル３の裏面側に折曲したとき、前記上側の支持パネル６の上端辺に突設された係止用突起８が下側の支持パネル７に設けた係止窓９に挿入されて係止した。【選択図】図１
2005114828.tif 000002
【特許請求の範囲】
【請求項１】
紙、合成樹脂シート、またはその複合シートを素材とし、宣伝広告等が表示され、商品陳列棚の前端面に長手方向に沿って起立させて設けられたカードレールに着脱自在に取り付けられる商品陳列棚用宣伝広告媒体であって、
表面に宣伝広告表示面部を有する表示パネルの上下に、相互に平行な折れ線を介して表示パネルの裏面側に折曲される２つの支持パネルが設けられ、前記支持パネルのうち上側の支持パネルには該支持パネルの上端辺の一部を延長して係止用突起が突設され、下側の支持パネルには前記係止用突起を挿入して係止する係止窓が設けられるとともに下端辺には折れ線を介して下向きに折曲されるレール差込みパネルが設けられており、前記２つの支持パネルを表示パネルの裏面側に折曲したとき、前記上側の支持パネルの上端辺に突設された係止用突起が下側の支持パネルに設けられた係止窓に挿入されて係止し、このとき前記下側の支持パネルの下端辺に設けられ折れ線を介して下向きに折曲されたレール差込みパネルが前記表示パネルの上下方向概ね中央に位置するように設定されていることを特徴とする商品陳列棚用宣伝広告媒体。
【請求項２】
前記支持パネルには前記折れ線を起点として支持パネルに入り適宜の位置で折り返して前記折れ線に戻って前記宣伝広告表示面部を延長する表示延長部を形成する切断線が設けられていることを特徴とする請求項１に記載の商品陳列棚用宣伝広告媒体。
【発明の詳細な説明】
【技術分野】
【０００１】
本発明は、商品を陳列する陳列棚に取り付けられる、所謂、購買時点広告（Ｐ．Ｏ．Ｐ）に好適な商品陳列棚用宣伝広告媒体に関する。
【背景技術】
【０００２】
コンビニエンスストアーやスーパーマーケット等では、多くの商品が陳列棚に陳列されて販売されている。かかる商品陳列棚では、その棚構造から、購買時点広告としての商品宣伝広告表示面は、陳列した商品の価格を表示した値札を取り付けるために商品陳列棚の前端面に長手方向に沿って起立させて設けられたカードレール幅に制限され、宣伝効果が著しく低い。
【０００３】
そこで、かかる商品陳列棚で大きい宣伝広告表示面を得るものとして、前記商品陳列棚の前端面に設けられたカードレールを利用し、このカードレールに商品宣伝広告を表示した商品陳列棚用宣伝広告媒体を着脱自在に取り付けることが提案され広く使用されている。かかる商品陳列棚用宣伝広告媒体として、従来、紙、合成樹脂シート、またはその複合シートを素材とし、表面に宣伝広告表示面部を有する表示パネルの上部に２本の平行な折れ線を介して支持パネルとレール差込みパネルが設けられており、前記支持パネルとレール差込みパネルは、前記表示パネルの裏面側に折れ線から下向きコ字状に折曲されたものが知られている（例えば、特許文献１参照。）。
【特許文献１】実開平１−１３０１７４号公報
【発明の開示】
【発明が解決しようとする課題】
【０００４】
しかしながら、上記特許文献１に開示されている商品陳列棚用宣伝広告媒体は、宣伝広告表示面部を有する表示パネルの上部はカードレールの上端が限度であり、広い宣伝広告表示面部を得るために表示パネルを大きくしようとすると下方向に伸ばさざるを得ず、表示パネルを下方向に伸ばすと陳列棚の下断に陳列されている商品を隠してしまうことになるので、下方向に伸ばすのも限度があり、商品陳列棚用宣伝広告媒体としては必ずしも充分なものとはいえない。
【０００５】
また、前記表示パネルの上部に２本の平行な折れ線を介して設けられた支持パネルとレール差込みパネルを前記表示パネルの裏面側に折れ線から下向きコ字状に折曲し、前記レール差込みパネルをカードレールに取り付けたとき、当初は前記表示パネルは正面を向いていても、紙、合成樹脂シート、またはその複合シートは、弾性復元力があるため、その復元力により次第に表示パネルが上を向いてしまい宣伝広告表示面部が見難くなり、また見栄えも悪くなってしまう場合があり、折りが弱いと尚更である。
【０００６】
本発明の目的は、より広い宣伝広告表示面部が得られ、また、見易く且つ見栄え良くカードレールに支持させることができる商品陳列棚用宣伝広告媒体を提供することにある。
【課題を解決するための手段】
【０００７】
上記の目的を達成するために請求項１に記載の本発明は、紙、合成樹脂シート、またはその複合シートを素材とし、宣伝広告等が表示され、商品陳列棚の前端面に長手方向に沿って起立させて設けられたカードレールに着脱自在に取り付けられる商品陳列棚用宣伝広告媒体であって、表面に宣伝広告表示面部を有する表示パネルの上下に、相互に平行な折れ線を介して表示パネルの裏面側に折曲される２つの支持パネルが設けられ、前記支持パネルのうち上側の支持パネルには該支持パネルの上端辺の一部を延長して係止用突起が突設され、下側の支持パネルには前記係止用突起を挿入して係止する係止窓が設けられるとともに下端辺には折れ線を介して下向きに折曲されるレール差込みパネルが設けられており、前記２つの支持パネルを表示パネルの裏面側に折曲したとき、前記上側の支持パネルの上端辺に突設された係止用突起が下側の支持パネルに設けられた係止窓に挿入されて係止し、このとき前記下側の支持パネルの下端辺に設けられ折れ線を介して下向きに折曲された前記レール差込みパネルが前記表示パネルの上下方向概ね中央に位置するように設定されていることを特徴とする。
【０００８】
請求項２に記載の発明は、請求項１に記載の、前記支持パネルには前記折れ線を起点として支持パネルに入り適宜の位置で折り返して前記折れ線に戻って前記宣伝広告表示面部を延長する表示延長部を形成する切断線が設けられていることを特徴とする。
【発明の効果】
【０００９】
以上のように請求項１に記載の商品陳列棚用宣伝広告媒体によれば、表面に宣伝広告表示面部を有する表示パネルの上下に平行な折れ線を介して設けられ表示パネルの裏面側に折曲された２つの支持パネルは、前記上側の支持パネルの上端辺に突設された係止用突起が下側の支持パネルに設けられた係止窓に挿入されて係止しするので、折りが弱くても折りの戻りが阻止され、これにより折られた状態を保持するので、前記レール差込みパネルをカードレールに取り付けた状態で、宣伝広告表示面部を有する表示パネルは常に正面を向いた状態を維持し、宣伝広告表示面部が見難くなることはなく、また見栄えもよい。また、前記下側の支持パネルの下端辺から折れ線を介して下向きに折曲された前記レール差込みパネルは、前記２つの支持パネルを表示パネルの裏面側に折曲し、前記上側の支持パネルの上端辺に突設された係止用突起を下側の支持パネルに設けられた係止窓に挿入して係止したとき、前記表示パネルの上下方向概ね中央に位置するように設定されているので、レール差込みパネルをカードレールに取り付けたとき、宣伝広告表示面部を有する表示パネルはカードレールの上下端から同じような幅で突出することになり、カードレールの上端から突出した分だけ広い宣伝広告表示面部を得ることができる。
【００１０】
請求項２に記載の商品陳列棚用宣伝広告媒体によれば、請求項１に記載の、前記支持パネルには前記折れ線を起点として支持パネルに入り適宜の位置で折り返して前記折れ線に戻って前記宣伝広告表示面部を延長する表示延長部を形成する切断線が設けられているので、大きい素材を使用することなく、大きい宣伝広告表示面部を得ることができ、素材の節約ができる。
【発明を実施するための最良の形態】
【００１１】
図１乃至図５は本発明に係る商品陳列棚用宣伝広告媒体を実施するための最良の形態の第１例を示したもので、図１は本例の商品陳列棚用宣伝広告媒体の展開図、図２は本例の商品陳列棚用宣伝広告媒体の正面図、図３は図２の背面図、図４は図２の側面図、図５は本例の商品陳列棚用宣伝広告媒体をカードレールに取り付けた状態の側面図である。
【００１２】
本例の商品陳列棚用宣伝広告媒体１は、紙、合成樹脂シート、その複合シートを素材として形成され、表面に宣伝広告表示面部２を有する表示パネル３を有し、該表示パネル３の上下に、相互に平行な折れ線４，５を介して表示パネル３の裏面側に折曲される２つの支持パネル６，７が設けられている。前記支持パネル６，７のうち上側の支持パネル６には該支持パネル６の上端辺の一部を延長して係止用突起８が突設されている。該係止用突起８は、幅狭の首部８ａと広幅の係止頭部８ｂにより形成されている。
【００１３】
また、下側の支持パネル７には前記係止用突起８を挿入して係止する係止窓９が設けられている。該係止窓９は、前記係止用突起８の係止頭部８ｂが挿入可能な広幅部９ａと、係止頭部８ｂより狭幅で且つ係止用突起８の首部８ａが挿通可能な狭幅部９ｂを有している。そして、前記２つの支持パネル６，７を表示パネル３の裏面側に折曲したとき、前記上側の支持パネル６の上端辺に突設された係止用突起８の係止頭部８ｂが下側の支持パネル７に設けられた係止窓９の広幅部９ａに挿入され、この状態から上側の支持パネル６の係止用突起８の首部８ａを下側の支持パネル７に設けられた係止窓９の狭幅部９ｂに移動させることにより、前記係止用突起８の係止頭部８ｂが係止窓９の狭幅部９ｂの両側に跨って係止し抜け止めされ、前記２つの支持パネル６，７が表示パネル３の裏面側に折曲された状態に保持されるようになっている。
【００１４】
更に、前記下側の支持パネル７には、その下端辺に折れ線１０を介して下向きに折曲されるレール差込みパネル１１が設けられている。このレール差込みパネル１１は、前記２つの支持パネル６，７を表示パネル３の裏面側に折曲し、前記上側の支持パネル６の上端辺に突設された係止用突起８が下側の支持パネル７に設けられた係止窓９に挿入されて係止された状態で、前記表示パネル３の上下方向概ね中央に位置するように設定されている（図３，図４参照）。
【００１５】
前記した本例の商品陳列棚用宣伝広告媒体１は、前記２つの支持パネル６，７を、折れ線４，５を介して該表示パネル３の裏面側に折曲し、前記上側の支持パネル６の上端辺に突設された係止用突起８の係止頭部８ｂを下側の支持パネル７に設けられた係止窓９の広幅部９ａに挿入し、この状態から係止用突起８の首部８ａを係止窓９の狭幅部９ｂに移動させることにより、前記係止用突起８の係止頭部８ｂを係止窓９の狭幅部９ｂの両側に跨らせて係止し、そして、前記下側の支持パネル７の下端辺に設けられているレール差込みパネル１１を折れ線１０を介して下向きに折曲することにより形成される。
【００１６】
このようにして所要の形状に形成された商品陳列棚用宣伝広告媒体１は、商品陳列棚１２の前端面に長手方向に沿って起立させて設けられたカードレール１３の下側レール溝１４ａと上側レール溝１４ｂに、前記レール差込みパネル１１を差し込んで取り付けられる（図５参照）。或いは、商品陳列棚１２の前端面に長手方向に沿って起立させて設けられたカードレール１３の下側レール溝１４ａに、前記レール差込みパネル１１を差し込んで取り付けられる（図６参照）。
【００１７】
前記のようにしてカードレール１３に取り付けられた商品陳列棚用宣伝広告媒体１は、表示パネル３の裏面側に折曲された２つの支持パネル６，７が、前記上側の支持パネル６に突設された係止用突起８が下側の支持パネル７に設けられた係止窓９に挿入されて係止しするので、支持パネル６，７の折りが弱くても折りの戻りが阻止され、これにより折られた状態を保持するので、前記レール差込みパネル１１をカードレール１３に取り付けた状態で、宣伝広告表示面部２を有する表示パネル３は常に正面を向いた状態を維持し、宣伝広告表示面部２が見難くなることはなく、また見栄えもよい。また、前記レール差込みパネル１１は、前記表示パネル３の上下方向概ね中央に位置するので、レール差込みパネル１１をカードレール１３に取り付けたとき、宣伝広告表示面部２を有する表示パネル３はカードレール１３の上下端から同じような幅で突出することになり、カードレール１３の上端から突出した分だけ広い宣伝広告表示面部２を得ることができる。
【００１８】
図７乃至図１０は本発明に係る商品陳列棚用宣伝広告媒体を実施するための最良の形態の第２例を示したもので、図７は本例の商品陳列棚用宣伝広告媒体の展開図、図８は本例の商品陳列棚用宣伝広告媒体の正面図、図９は図８の背面図、図１０は図８の側面図である。また、前述した図１乃至図４と対応する部分には、同一の符号を付して示している。
【００１９】
本例の商品陳列棚用宣伝広告媒体１では、支持パネル６，７には、折れ線４，５を起点として支持パネル６，７に入り適宜の位置で折り返して前記折れ線４，５に戻って前記宣伝広告表示面部２を延長する円弧状の表示延長部２ａを形成する切断線１５が設けられている。前記表示延長部２ａの形状は、上記例に限定されるものてはなく、任意の形状にすることができる。また、表示延長部２ａは支持パネル６，７のいずれか一方のみに設けてもよい。その他の形状は、前述した図１乃至図４と同様になっている。
【００２０】
このように構成された商品陳列棚用宣伝広告媒体１によれば、前記支持パネル６，７に、前記折れ線４，５を起点として支持パネル６，７に入り適宜の位置で折り返して前記折れ線４，５に戻って前記宣伝広告表示面部２を延長するものとなる表示延長部２ａを形成する切断線１５が設けられているので、宣伝広告表示面部２として支持パネル６，７の一部を利用することができ、大きい素材を使用することなく、大きい宣伝広告表示面部２を得ることができ、素材の節約ができる。
【図面の簡単な説明】
【００２１】
【図１】本発明に係る商品陳列棚用宣伝広告媒体を実施するための最良の形態の第１例の展開図。
【図２】第１例の商品陳列棚用宣伝広告媒体の正面図。
【図３】図２の背面図。
【図４】図２の側面図。
【図５】第１例の商品陳列棚用宣伝広告媒体をカードレールに取り付けた状態の一例を示す側面図。
【図６】第１例の商品陳列棚用宣伝広告媒体をカードレールに取り付けた状態の他例を示す側面図。
【図７】本発明に係る商品陳列棚用宣伝広告媒体を実施するための最良の形態の第２例の展開図。
【図８】第２例の商品陳列棚用宣伝広告媒体の正面図。
【図９】図８の背面図。
【図１０】図８の側面図。
【符号の説明】
【００２２】
１  商品陳列棚用宣伝広告媒体
２  宣伝広告表示面部
２ａ  表示延長部
３  表示パネル
４，５  折れ線  
６，７  支持パネル
８  係止用突起
８ａ  首部
８ｂ  係止頭部
９  係止窓
９ａ  広幅部
９ｂ  狭幅部
１０  折れ線
１１  レール差込みパネル
１２  商品陳列棚
１３  カードレール
１４ａ  下側レール溝
１４ｂ  上側レール溝
１５  切断線
【図１】
2005114828.tif 000003
【図２】
2005114828.tif 000004
【図３】
2005114828.tif 000005
【図４】
2005114828.tif 000006
【図５】
2005114828.tif 000007
【図６】
2005114828.tif 000008
【図７】
2005114828.tif 000009
【図８】
2005114828.tif 000010
【図９】
2005114828.tif 000011
【図１０】
2005114828.tif 000012